(57)【要約】【課題】時計モジュールを共通化しても、押しボタンの動作角度の変更に簡単且つ安価に対応でき、しかも、腕時計における部品の管理面でも有利な端子板および腕時計を提供すること。【解決手段】端子板２０は、ハウジング１０と回路押さえ９との間に挿入される差込み板２１と、差込み板２１を挿入した状態で曲げ部９Ａの押しボタン４に対向した部分を覆う弾性押圧片２２とを備え、弾性接片９ｂと押しボタン４との間に弾性押圧片２２を介在させることによって、押しボタン４の押込みの際、弾性押圧片２２が曲げ部９Ａを覆い隠して、従来のような、押しボタン４のシャフト４ａの先端が曲げ部９Ａの凹内に挿入されてしまい曲げ部９Ａの凸が電気接点１１ａと電気的に接続されない事態を防止し、押しボタン４のシャフト４ａが弾性押圧片２２を押圧して曲げ部９Ａの凸が電気接点１１ａと確実に電気的に接続するようにした。【選択図】図３
2011137702.tif 000002
【特許請求の範囲】
【請求項１】
腕時計ケースに押しボタンが設けられ、内部に時計モジュールが配置され、前記時計モジュールは、ハウジング、側端部に第１の電気接点が形成された回路基板、および、ハウジングに係合するフック部が設けられ且つ該フック部の先端部に第２の電気接点を有する弾性接片が設けられた回路押さえを含んで構成され、前記第２の電気接点は、前記押しボタンに向けて凹、前記回路基板に向けて凸となる曲げ部を備え、前記押しボタンの押込みによって前記弾性接片を押圧して前記回路基板に向けて弾性変形させ前記第２の電気接点における曲げ部を前記第１の電気接点に接触させるように構成された腕時計、において使用される端子板であって、
前記ハウジングと前記回路押さえとの間に挿入される平板状の差込み板と、
前記差込み板に連設され前記ハウジングと前記回路押さえとの間に前記差込み板を挿入した状態で前記第２の電気接点における曲げ部の前記押しボタンに対向した部分を覆う平板状の弾性押圧片とを備えることを特徴とする端子板。
【請求項２】
前記回路基板には前記フック部の両側位置に前記第１の電気接点が１つずつ形成され、前記差込み板には前記第１の電気接点の各々に対応して前記弾性押圧片が設けられていることを特徴とする請求項１に記載の端子板。
【請求項３】
腕時計ケースに押しボタンが設けられ、内部に時計モジュールが配置され、前記時計モジュールは、ハウジング、側端部に第１の電気接点が形成された回路基板、および、ハウジングに係合するフック部が設けられ且つ該フック部の先端部に第２の電気接点を有する弾性接片が設けられた回路押さえを含んで構成され、前記第２の電気接点は、前記押しボタンに向けて凹、前記回路基板に向けて凸となる曲げ部を備え、前記押しボタンの押込みによって前記弾性接片を押圧して前記回路基板に向けて弾性変形させ前記第２の電気接点における曲げ部を前記第１の電気接点に接触させるように構成された腕時計において、
前記ハウジングと前記回路押さえとの間に挿入される平板状の差込み板と、
前記差込み板に連設され前記ハウジングと前記回路押さえとの間に前記差込み板を挿入した状態で前記第２の電気接点における曲げ部の前記押しボタンに対向した部分を覆う平板状の弾性押圧片とを備える端子板、
を有することを特徴とする腕時計。
【請求項４】
前記回路基板には前記フック部の両側位置に前記第１の電気接点が１つずつ形成され、前記差込み板には前記第１の電気接点の各々に対応して前記弾性押圧片が設けられていることを特徴とする請求項３に記載の腕時計。
【発明の詳細な説明】
【技術分野】
【０００１】
本発明は、端子板および腕時計に関するものである。
【背景技術】
【０００２】
従来、腕時計ケースに押しボタンが設けられ、内部に時計モジュールが配置され、時計モジュールが、ハウジングと、側端部に第１の電気接点が形成された回路基板と、ハウジングに係合するフック部とを備え、フック部には、先端部に第２の電気接点が形成された弾性接片が設けられた腕時計が知られている（例えば、特許文献１）。
【先行技術文献】
【特許文献】
【０００３】
【特許文献１】特開２００７−７８５０４号
【発明の概要】
【発明が解決しようとする課題】
【０００４】
ところで、近年、ユーザの嗜好や流行に合致させるため、腕時計として同一の機能を確保しながら、腕時計の外観のデザインを変更したい場合がある。例えば、腕時計ケースに対して押しボタンの動作角度を変更させる等である。この場合、時計モジュールは、腕時計ケース内に配置されるものであるため、腕時計の外観のデザインに大きくは影響しないので、可能な限り共通化することが望まれる。押しボタンの動作角度を変更するに際し、回路押さえをその都度変更するとすれば金型を新規で作らなければならず、高額のイニシャルコストがかかってしまう。また、様々な回路押さえを用意するとすれば管理面でも煩雑となる。
しかし、回路押さえにおける弾性接片の電気接点は、回路基板側の電気接点とほぼ点接触状態で接触するよう押しボタン側に向けて凹、回路基板側に向けて凸となる曲げ部を備えている。したがって、時計モジュールを共通化すると、次のような問題が生じる。    
すなわち、例えば腕時計ケースの全体が円形状の場合、一般に、押しボタンのシャフトは腕時計ケースの３時−９時の方向に対して２５度〜３０度程度の角度で延在している。そして、この構造では、押しボタンの押込みに伴って、シャフトが弾性接片の電気接点よりもフック部側に近い平板状部分を押圧することで、弾性接片が回路基板側に撓み、弾性接片の電気接点が回路基板側の電気接点に当接することになる。
しかし、同じ時計モジュールを用いる一方で、押しボタンの設置位置をほぼ同じにし且つ押しボタンの動作角度を例えば腕時計の３時−９時方向に対して５度程度以下とすると、押しボタンの押込みに伴って、シャフトの先端が弾性接片の平板状部分を摺動して曲げ部に至って凹部内に、押しボタンのシャフトの先端が挿入されてしまい、曲げ部の凸部が電気接点と電気的に接続されない事態を招く場合がある。この場合には、動作不良を引き起こす虞がある。
本発明の課題は、時計モジュールを共通化しても、押しボタンの動作角度の変更に簡単且つ安価に対応でき、しかも、腕時計における部品の管理面でも有利な端子板および腕時計を提供することにある。
【課題を解決するための手段】
【０００５】
請求項１の発明は、
腕時計ケースに押しボタンが設けられ、内部に時計モジュールが配置され、前記時計モジュールは、ハウジング、側端部に第１の電気接点が形成された回路基板、および、ハウジングに係合するフック部が設けられ且つ該フック部の先端部に第２の電気接点を有する弾性接片が設けられた回路押さえを含んで構成され、前記第２の電気接点は、前記押しボタンに向けて凹、前記回路基板に向けて凸となる曲げ部を備え、前記押しボタンの押込みによって前記弾性接片を押圧して前記回路基板に向けて弾性変形させ前記第２の電気接点における曲げ部を前記第１の電気接点に接触させるように構成された腕時計、において使用される端子板であって、
前記ハウジングと前記回路押さえとの間に挿入される平板状の差込み板と、
前記差込み板に連設され前記ハウジングと前記回路押さえとの間に前記差込み板を挿入した状態で前記第２の電気接点における曲げ部の前記押しボタンに対向した部分を覆う平板状の弾性押圧片とを備えることを特徴とする端子板である。
【０００６】
請求項２の発明は、請求項１に記載の端子板において、前記回路基板には前記フック部の両側位置に前記第１の電気接点が１つずつ形成され、前記差込み板には前記第１の電気接点の各々に対応して前記弾性押圧片が設けられていることを特徴とする。
【０００７】
請求項３の発明は、
腕時計ケースに押しボタンが設けられ、内部に時計モジュールが配置され、前記時計モジュールは、ハウジング、側端部に第１の電気接点が形成された回路基板、および、ハウジングに係合するフック部が設けられ且つ該フック部の先端部に第２の電気接点を有する弾性接片が設けられた回路押さえを含んで構成され、前記第２の電気接点は、前記押しボタンに向けて凹、前記回路基板に向けて凸となる曲げ部を備え、前記押しボタンの押込みによって前記弾性接片を押圧して前記回路基板に向けて弾性変形させ前記第２の電気接点における曲げ部を前記第１の電気接点に接触させるように構成された腕時計において、
前記ハウジングと前記回路押さえとの間に挿入される平板状の差込み板と、
前記差込み板に連設され前記ハウジングと前記回路押さえとの間に前記差込み板を挿入した状態で前記第２の電気接点における曲げ部の前記押しボタンに対向した部分を覆う平板状の弾性押圧片とを備える端子板、
を有することを特徴とする腕時計である。
【０００８】
請求項４の発明は、請求項３に記載の腕時計において、前記回路基板には前記フック部の両側位置に前記第１の電気接点が１つずつ形成され、前記差込み板には前記第１の電気接点の各々に対応して前記弾性押圧片が設けられていることを特徴とする。
【発明の効果】
【０００９】
本発明によれば、端子板を装着した状態では、弾性接片と押しボタンの曲げ部との間に平板状の弾性押圧片が介在することとなるので、押しボタンの押込みの際に、弾性押圧片が曲げ部を覆い隠すために、押しボタンのシャフトの先端が曲げ部に引っ掛かることがない。その結果、動作不良が抑制され、弾性接片の第２の電気接点の曲げ部を確実に第１の電気接点に当接させることが可能となる。
また、本発明によれば、端子板は、平板状の差込み板と平板状の弾性押圧片とから構成されるので、時計モジュールを共通化しても、押しボタンの動作角度の変更に簡単且つ安価に対応できる。
【図面の簡単な説明】
【００１０】
【図１】この発明の実施形態に係る電子腕時計の正面図である。
【図２】図１の電子腕時計の裏蓋を外した状態の要部を拡大して示す底面図である。
【図３】図１の電子腕時計の時計モジュールの一部、端子板および押しボタンのみを底面側から見た状態の斜視図である。
【図４】図３の電子腕時計の時計モジュールの一部および押しボタン２のみを底面側から見た状態の斜視図である。
【図５】図１の電子腕時計で使用されている端子板の斜視図である。
【図６】図５の端子板の取付け方法の一例を示す断面図である。
【図７】図３の電子腕時計の時計モジュールの一部および押しボタン２のみを底面側から見た状態の斜視図である。
【図８】図１の電子腕時計の時計モジュールの一部、端子板および押しボタンのみを底面側から見た状態の斜視図である。
【発明を実施するための形態】
【００１１】
［第１の実施形態］
以下、図１〜図８を参照して、この発明を電子腕時計に適用した一実施形態について説明する。
図１は電子腕時計の正面図である。この電子腕時計は腕時計ケース１を備えている。この腕時計ケース１は、全体がほぼ円形状に形成されており、上面部には時計ガラス２が取り付けられている。
また、腕時計ケース１の側壁部の１２時側位置および６時側位置には、それぞれバンド取付け部３，３が設けられている。
さらに、腕時計ケース１の側壁部の３時側位置には押しボタン４，５が設けられ、９時側位置には押しボタン６，７が設けられている。これら押しボタン４，５，６，７は、モード切替えスイッチ、時刻修正スイッチなどの各種スイッチに対応するボタンである。
【００１２】
腕時計ケース１の内部は円形状の空間に形成されている。そして、図２の底面図に示すように、その内部空間に時計モジュール８が収納されている。この時計モジュール８は回路押さえ９、ハウジング１０および回路基板１１を備えている。この時計モジュール８には図２の底面図および図３の斜視図に示すように端子板２０が取り付けられている。
【００１３】
回路押さえ９は、金属（例えばステンレス材）からなり回路基板１１に接触しＧＮＤに繋がれている。この回路押さえ９は、図４の底面側から見た斜視図に示すように、押しボタン４，５の中間位置（３時側位置）で上方に屈曲されて起立するフック部９ａを備えている。フック部９ａには係止孔９ｃが形成されている。そして、このフック部９ａがハウジング１０の外周面から突出する爪１０ｄに係合することで、回路押さえ９はハウジング１０に取り付けられる。
このフック部９ａの両側にはハウジング１０の周方向に延びる弾性接片９ｂ，９ｂが１つずつ設けられている。一方の弾性接片９ｂは押しボタン４に対応し、他方の弾性接片９ｂは押しボタン５に対応して設けられている。そして、弾性接片９ｂ，９ｂは、押しボタン４，５が押し込まれた際に、押しボタン４，５のシャフト４ａ，５ａによって後述の端子板２０の弾性押圧片２２，２２を介して回路基板１１側へ押されて弾性変形するようになっている。各弾性接片９ｂは先端部に第２の電気接点９ｄを有している。各電気接点９ｄは、押しボタン４，５に向けて凹、回路基板１１に向けて凸となる曲げ部９Ａを備えている。
なお、図示はしないが、回路押さえ９は９時側位置で上方に屈曲されて起立する同様のフック部９ａを備えている。このフック部９ａにも押しボタン６，７に対応して同様の弾性接片９ｂ，９ｂが設けられ、この電気接片９ｂ，９ｂの先端部の曲げ部９Ａが同様の電気接点９ｄ，９ｄとなっている。
【００１４】
ハウジング１０には、フック部９ａの係止孔９ｃに係合する爪１０ｄが形成されている。そして、フック部９ａの係止孔９ｃにハウジング１０の爪１０ｄを係合させることによって回路押さえ９はハウジング１０に取り付けられる。ハウジング１０は、例えば回路基板９を挟む上部ハウジング１０ａと下部ハウジング１０ｂとから構成されている。
【００１５】
回路基板１１には各種回路や導電パターンが設けられている。そして、回路基板１１の側端部には押しボタン４，５に対応して例えば金メッキからなる電気接点１１ａ，１１ａが形成されている。この電気接点１１ａ，１１ａは電気接点９ｄ，９ｄに対応するものである。そして、電気接点１１ａ，１１ａは、押しボタン４，５の押込みによって弾性接片９ｂ，９ｂが弾性変形された際に、電気接点９ｄ，９ｄの曲げ部９Ａ，９Ａに電気接続されるようになっている。
なお、図示はしないが、回路基板の側端部に、押しボタン６，７に対応して電気接点１１ａ，１１ａが形成されている。
【００１６】
続いて、端子板２０を図５に基づいて説明する。
端子板２０は、金属（例えばステンレス材）からなり、回路押さえ９とハウジング１０との間に差し込まれる平板状の差込み板２１と、この差込み板２１に連設され該差込み板２１に対して上方に屈曲され弾性接片９ｂ，９ｂの外面側に当接する平板状の弾性押圧片２２，２２とを備えている。この端子板２０にあっては、回路押さえ９のフック部９ａに対応する部分が切り欠かれて、切欠き部２３となっている。切欠き部２３は回路押さえ９のフック部９ａに対応する位置に設けられている。この端子板２０は、押しボタン４，５と押しボタン６，７との各組に対応して１つずつ設けられる。
【００１７】
この端子板２０の取付けは次のようにして行われる。なお、この端子板２０は回路押さえ９によって腕時計ケース１に時計モジュール８を固定する前に行われる。
まず、図６（Ａ）に示すように、端子板２０の弾性押圧片２２，２２の外面が回路押さえ９に対向するような向きにするとともに、端子板２０の切欠き部２３をフック部９ａの内面と対峙させ、この状態で回路押さえ９の内面と弾性接片９ｂ，９ｂとの隙間に弾性押圧片２２，２２を挿入する。そして、差込み板２１の内面が弾性接片９ｂ，９ｂに近づいたら矢印の方向に端子板２０を回転させて、図６（Ｂ）に示すように、回路押さえ９の弾性接片９ｂ，９ｂの外面に端子板２０の弾性押圧片２２，２２の内面を当接させる。これによって、端子板２０は、フック部９ａを跨ぐような状態で回路押さえ９に装着される。このようにしてから、回転押さえ９をハウジング１０に取り付ける。
なお、端子板２０の回路押さえ９への装着にあたっては、適宜、弾性接片９ｂ，９ｂや弾性押圧片２２，２２を弾性変形させてもよい。
【００１８】
このように構成された腕時計によれば次のような効果が得られる。
端子板２０を装着した状態では、弾性接片９ｂ，９ｂと押しボタン４，５等のシャフト４ａ，５ａ等との間に平板状の弾性押圧片２２，２２が介在することとなるので、押しボタン４，５等の押込みの際に、弾性押圧片２２，２２が曲げ部９Ａを覆い隠すために、押しボタン４，５等のシャフト４ａ，５ａ等の先端が曲げ部に引っ掛かることがない。その結果、動作不良が抑制され、弾性接片９ｂ，９ｂの電気接点９ｄ，９ｄの曲げ部９ａ，９ａを確実に電気接点１１ａ，１１ａに当接させることが可能となる。
これを図７の底面図および図８の底面図を用いて説明する。
端子板２０が無い腕時計では、図７に示すように、押しボタン４，５の押込みの際に、その押込みに伴って押しボタン４，５のシャフト４ａ，５ａの先端が弾性接片９ｂ，９ｂの外面上を摺動して曲げ部９Ａに入る虞がある。
これに対して、端子板２０が有る腕時計では、図８に示すように、端子板２０によって曲げ部９Ａが覆い隠されるので、押しボタン４，５の押込みの際に、その押込みに伴って押しボタン４，５のシャフト４ａ，５ａの先端が弾性接片９ｂ，９ｂの外面上を摺動しないので、曲げ部９Ａに入ることが防止される。
【００１９】
また、端子板２０は、平板状の差込み板２１と平板状の弾性押圧片２２，２２とから構成されるので、時計モジュール８を共通化しても、押しボタン４，５等の動作角度の変更に簡単且つ安価に対応できる。
【００２０】
以上、本発明の実施形態について説明したが、本発明は、かかる実施形態に限定されるものではなく、本発明の要旨を逸脱しない範囲で種々の変形が可能であることはいうまでもない。
例えば、上記実施形態では、フック部９ａの両側に弾性接片９ｂ，９ｂが設けられた腕時計の例を述べたが、１つの弾性接片９ｂが設けられた腕時計にも適用できる。
【符号の説明】
【００２１】
１  腕時計ケース
４，５，６，７  押しボタン
４ａ，５ａ  シャフト
８  時計モジュール
９  回路押さえ
９ａ  フック部
９ｂ  弾性接片
１０  ハウジング
１１  回路基板
１１ａ  電気接点
２０  端子板
２１  差込み板
２２  弾性押圧片
【図１】
2011137702.tif 000003
【図２】
2011137702.tif 000004
【図３】
2011137702.tif 000005
【図４】
2011137702.tif 000006
【図５】
2011137702.tif 000007
【図６】
2011137702.tif 000008
【図７】
2011137702.tif 000009
【図８】
2011137702.tif 000010